(57)【特許請求の範囲】
【請求項１】
上側筐体と下側筐体とに分割され、
該上側筐体と該下側筐体とを連結し、該上側筐体の展開時及び折り畳み時に回動するヒンジ部を有する携帯端末において、
前記上側筐体の背面側且つ前記ヒンジ部の円筒面上に設けられ、前記ヒンジ部の回動と連動して回動する凸部と、
前記上側筐体を展開した時に前記携帯端末本体が転倒しないように、前記下側筐体の底面側において、前記ヒンジ部の下側に取り付けられ、前記凸部に押されることにより、中央に備えた支点を軸として回動する支持脚と、を有し、
前記上側筐体の展開時は、前記凸部が前記ヒンジ部の回動と連動して前記支点の上側である、前記支持脚の上部を押下する力が加わることで、前記支点を軸として前記ヒンジ部の回動と逆回りに前記支持脚が回動し、前記支持脚の下部が下側筐体内部からせり出され、前記支持脚が前記下側筐体の底面と水平位置になる構成としたことを特徴とする携帯端末。
【請求項２】
請求項１記載の携帯端末は、前記支持脚と接続され、且つ前記下側筐体内の所定の位置に設けられ、前記上側筐体と前記下側筐体とを折り畳んだ時に、前記支持脚を引っ張る力によって前記下側筐体内部に収容するためのコイルバネを、さらに有することを特徴とする携帯端末。
【請求項３】
上側筐体と下側筐体とに分割され、
該上側筐体と該下側筐体とを連結し、該上側筐体の展開時及び折り畳み時に回動するヒンジ部を有する携帯端末において、
前記上側筐体の正面側且つ前記ヒンジ部の円筒面上に設けられ、前記ヒンジ部の回動と連動して回動する凸部と、
前記上側筐体を展開した時に前記携帯端末本体が転倒しないように、前記下側筐体の底面側において、前記ヒンジ部の下側に取り付けられ、前記凸部に押されることにより、中央に備えた支点を軸として回動する支持脚と、
前記下側筐体内の所定の位置に設けられ、前記下側筐体と前記支持脚とを接続するコイルバネと、を有し、
前記携帯端末を折り畳んだ時は、前記凸部が、前記ヒンジ部の回動と連動して前記支点の上側である、前記支持脚の上部を押下する力が加わることで、前記支点を軸として前記ヒンジ部の回動と逆回りに前記支持脚が回動し、前記支持脚の下部が下側筐体内部に収納され、
前記上側筐体の展開時は、前記凸部が前記ヒンジ部の回動との連動により前記支持脚から離れ、前記支持脚の上部の押下状態を解除し、前記コイルバネの外へ押し出す力によって前記支持脚が押し出されて前記下側筐体外へせり出され、前記支持脚が前記下側筐体の底面と水平位置になる構成としたことを特徴とする携帯端末。
【請求項４】
請求項３記載の携帯端末において、前記下側筐体から前記支持脚下端がせり出された前記支持脚は、前記支持脚に対し過剰な負荷が加わった場合、前記コイルバネが圧縮され、該支持脚が前記下側筐体内部へ回転移動することを特徴とする携帯端末。
【発明の詳細な説明】
【０００１】
【発明の属する技術分野】
本発明は、携帯端末に関し、特に、折り畳み式の携帯端末の機構に関する。
【０００２】
【従来の技術】
従来、携帯端末は、例えば、折り畳み機構を有して構成される。この折り畳み機構を有する携帯端末において、近年の携帯端末の軽量化が進む中で、転倒防止機構の必要性が増している。
【０００３】
上記の必要性は、表示部分の表示面積が相対的に大型化してきていることに起因する。一般的に折り畳み式の携帯端末は、上側と下側に分割されて構成される。この折り畳み機構を有する携帯端末では、一般的に上側に表示部分を有している。
【０００４】
上記の状況において、表示する情報の多用化・増大化と付随して、表示部分の面積は増大化の傾向にある。よって、本機構の携帯端末が軽量化する中で、表示部分の重量が増加する傾向にある。
【０００５】
【発明が解決しようとする課題】
しかしながら、上記の軽量化の傾向において、折り畳みを展開して机上に置いた場合に、携帯端末が転倒し易いという問題を伴う。その理由は、表示部を内蔵する上側部分が重くなり、下側との質量差が小さくなり、ちょっとした接触や振動等で安定が崩れるためである。
【０００６】
また、転倒を防止する支持脚を設けた場合は、折り畳んだ状態で携行しにくいという問題点を生じる。その理由は、支持脚を設けた場合、折り畳んで携行する時に支持脚が突出していて邪魔になったり、破損しないように取り扱いを注意しなければならないからである。
【０００７】
本発明は、利便性の高い転倒防止機構を設けた携帯端末を提供することを目的とする。
【０００８】
【課題を解決するための手段】
かかる目的を達成するため、本発明は、上側筐体と下側筐体とに分割され、上側筐体と下側筐体とを連結し、上側筐体の展開時及び折り畳み時に回動するヒンジ部を有する携帯端末において、上側筐体の背面側且つヒンジ部の円筒面上に設けられ、ヒンジ部の回動と連動して回動する凸部と、上側筐体を展開した時に携帯端末本体が転倒しないように、下側筐体の底面側において、ヒンジ部の下側に取り付けられ、凸部に押されることにより、中央に備えた支点を軸として回動する支持脚と、を有し、上側筐体の展開時は、凸部がヒンジ部の回動と連動して支点の上側である、支持脚の上部を押下する力が加わることで、支点を軸としてヒンジ部の回動と逆回りに支持脚が回動し、支持脚の下部が下側筐体内部からせり出され、支持脚が下側筐体の底面と水平位置になる構成としたことを特徴している。
【０００９】
また、本発明は、支持脚と接続され、且つ下側筐体内の所定の位置に設けられ、上側筐体と下側筐体とを折り畳んだ時に、支持脚を引っ張る力によって下側筐体内部に収容するためのコイルバネを、さらに有することを特徴としている。
【００１１】
また、本発明は、上側筐体と下側筐体とに分割され、上側筐体と下側筐体とを連結し、上側筐体の展開時及び折り畳み時に回動するヒンジ部を有する携帯端末において、上側筐体の正面側且つヒンジ部の円筒面上に設けられ、ヒンジ部の回動と連動して回動する凸部と、上側筐体を展開した時に携帯端末本体が転倒しないように、下側筐体の底面側において、ヒンジ部の下側に取り付けられ、凸部に押されることにより、中央に備えた支点を軸として回動する支持脚と、下側筐体内の所定の位置に設けられ、下側筐体と支持脚とを接続するコイルバネと、を有し、携帯端末を折り畳んだ時は、凸部が、ヒンジ部の回動と連動して支点の上側である、支持脚の上部を押下する力が加わることで、支点を軸としてヒンジ部の回動と逆回りに支持脚が回動し、支持脚の下部が下側筐体内部に収納され、上側筐体の展開時は、凸部がヒンジ部の回動との連動により支持脚から離れ、支持脚の上部の押下状態を解除し、コイルバネの外へ押し出す力によって支持脚が押し出されて下側筐体外へせり出され、支持脚が下側筐体の底面と水平位置になる構成としたことを特徴としている。
【００１３】
また、本発明は、下側筐体から支持脚下端がせり出された支持脚は、支持脚に対し過剰な負荷が加わった場合、コイルバネが圧縮され、支持脚が下側筐体内部へ回転移動することを特徴としている。
【００１４】
【発明の実施の形態】
次に、添付図面を参照して本発明による携帯端末の実施の形態を詳細に説明する。図１から図６を参照すると、本発明の携帯端末の一実施形態が示されている。これらの図１から図４が第１の実施例、図５および図６が第２の実施例を示している。
【００１５】
（第１の実施例）
第１の実施例を示す図１は、折り畳みを展開した状態を示す斜視図である。図２は、折り畳み状態で底面側から見た斜視図である。図３は、折り畳み状態でのヒンジ付近の縦断面図である。図４は、折り畳みを展開した状態でのヒンジ付近の縦断面図である。
【００１６】
図１において、本発明の携帯端末は上側筐体１、下側筐体２、上側筐体１と下側筐体２を回動可能に接続するヒンジ部３で構成されている。図２において、下側筐体２のヒンジ部３の下方に支持脚４を有している。また筐体１のヒンジ部３の上側に凸部１１を有している。
【００１７】
図３および図４において、支持脚４は、支軸４１を介し筐体２に回動可能に固定され、折り畳み状態においては、コイルバネ５によって下側筐体２の内部に引っ張られ、収納されている。
【００１８】
（動作の説明）
次に、実施例の動作について図面を参照して説明する。図１から図４において、支持脚４は、図２および図３に示すように折り畳み状態においてはコイルバネ５によって下側筐体２の内部に収納されている。しかし、折り畳みを展開した場合、図４のように、上側筐体１の凸部１１で支持脚４の上部が押下され、支持脚４の下部がせり出してくる。
【００１９】
（効果の説明）
第１の効果は、折り畳み機構を有する携帯端末において、折り畳みを展開し、机上に置いた時に携帯端末の転倒を防止でき、携帯端末が使用し易い状態に維持できることである。その理由は、折り畳みを展開した時に、転倒を防止する支持脚がせり出す機構を有するからである。
【００２０】
第２の効果は、折り畳んだ状態で携行し易いことである。その理由は、折り畳んだ時に支持脚が携帯端末に収納され、突出部が無くなるからである。
【００２１】
（第２の実施例）
次に、本発明の第２の実施例について、図面を参照して説明する。図５および図６は本発明の第２の実施例を示す図であり、図５は折り畳み状態でのヒンジ付近の縦断面図、図６は折り畳みを展開した状態でのヒンジ付近の縦断面図である。
【００２２】
第２の実施例の構成上における第１の実施例との相違点は、図５において、支持脚４を押下する凸部１１の位置が内側になっていることと、コイルバネ５の位置が下側になっていること、及びバネが圧縮バネとなっていることである。
【００２３】
動作における第１の実施例との相異点は、図５において、支持脚４が、折り畳み状態においては、筐体１の凸部１１によって押下され下側筐体２の内部に収納されているが、折り畳みを展開した場合、図６のように、上側筐体１の凸部１１の押さえが解除され、コイルバネ５で支持脚４の下部が押下されて、支持脚４がせり出してくることである。
【００２４】
効果については、第１の実施例と同様となるが、第２の実施例では、支持脚４を破損し難くできるという効果も生じる。その理由は、展開した状態において支持脚４に過剰な負荷が加わっても、コイルバネが圧縮され、支持脚４が移動できるからである。
【００２５】
上記の各実施形態における本発明の特徴は、折り畳み機構を有する携帯端末において、折り畳みを展開して机上等に置いた時に、上側の質量で携帯端末が不安定状態となり、転倒するのを防止する。このために支持脚が自動的にせり出し、折り畳んだ時には支持脚が自動的に収納される機構を設けている。
【００２６】
尚、上述の実施形態は本発明の好適な実施の一例である。但し、これに限定されるものではなく、本発明の要旨を逸脱しない範囲内において種々変形実施が可能である。
【００２７】
【発明の効果】
以上の説明より明らかなように、請求項１記載の発明の携帯端末は、下側筐体に回動可能に固定され、折り畳み機構と連動して折り畳み時には筐体内に収容され、且つ展開時には筐体外へせり出す支持脚を有している。よって、折り畳み機構の上側筐体と下側筐体とを展開し、支持脚をせり出せば、転倒防止機構として構成される。これにより、利便性の高い転倒防止機構が得られ、展開された携帯電話を机上等へ安定状態に設置することができる。
【図面の簡単な説明】
【図１】本発明の第１の実施例の携帯端末の折り畳みを展開した状態を示す斜視図である。
【図２】折り畳み状態で底面側から見た斜視図である。
【図３】折り畳み状態でのヒンジ付近の縦断面図である。
【図４】折り畳みを展開した状態でのヒンジ付近の縦断面図である。
【図５】本発明の第２の実施例の折り畳み状態でのヒンジ付近の縦断面図である。
【図６】第２の実施例の折り畳みを展開した状態でのヒンジ付近の縦断面図である。
【符号の説明】
１    上側筐体
２    下側筐体
３    ヒンジ部
４    支持脚
５    コイルバネ
１１    凸部
４１    支軸
【図１】
0003555853.tif 000002
【図２】
0003555853.tif 000003
【図３】
0003555853.tif 000004
【図４】
0003555853.tif 000005
【図５】
0003555853.tif 000006
【図６】
0003555853.tif 000007